(57)【要約】【課題】その撤去の際に側壁で囲まれた空間からの内容物の除去を容易に行えるようにした側壁が膜材でできた箱型土嚢を提供する。【解決手段】箱型土嚢は、膜材でできた矩形の複数の側壁１１０を備えている。側壁１１０は、平面視で四角形の空間１３０を作っている。その空間１３０は、膜材でできた矩形の複数の隔壁１２０にて分割空間１３１に分割されている。分割空間１３１に内容物Ｘが入れられる。側壁１１０、隔壁１２０の交点のうち黒い丸が付された部分である解除自在関節部では、そこに接続された側壁１１０及び隔壁１２０との接続を解除できるようになっている。かかる接続を解除すると、すべての分割空間１３１の側面が外部に開放されるので、そこから内容物を容易に取り出せる。【選択図】図８
2016118030.tif 000002
【特許請求の範囲】
【請求項１】
そのそれぞれが、垂直な垂直辺をその両幅方向に持ち、水平な水平辺をその両上下方向に持つ、同じ高さの矩形である、膜材でできた、少なくとも３つの側壁を備えているとともに、
前記側壁を全体として環状に配列することによって形成された、前記側壁で囲まれたその上下が開口された空間に内容物を入れて用いられるようになっている、
箱型土嚢であって、
隣接する前記側壁の隣接する２つの垂直辺は、それと隣接する前記垂直辺とともに、隣接する前記側壁同士を互いに接続する関節部を構成しており、
前記関節部の少なくとも１つは、当該関節部で接続された２つの前記側壁の接続を解除自在とされた、解除自在関節部とされており、前記解除自在関節部において２つの前記側壁の接続を解除することで、前記空間をその側面から外部に対して開放可能となっている、
箱型土嚢。
【請求項２】
前記側壁は４枚以上であるとともに、
前記空間には、そのそれぞれが、垂直な垂直辺をその両幅方向に持ち、水平な水平辺をその両上下方向に持つ、前記側壁と同じ高さの矩形である、膜材でできた、当該空間を区画して複数の分割空間とする、少なくとも１枚の隔壁が設けられており、
前記隔壁の２つの前記垂直辺は、前記側壁の垂直辺か、又は他の前記隔壁の垂直辺と共に、隣接する前記隔壁と前記側壁を互いに接続するか、隣接する前記隔壁同士を互いに接続する、関節部を構成しており、
前記関節部のうちの少なくとも１つは、当該関節部で接続された、少なくとも１つの前記側壁と、少なくとも１つの前記隔壁との接続を解除自在とされた、解除自在関節部とされており、前記解除自在関節部において少なくとも１つの前記側壁と、少なくとも１つの前記隔壁との接続を解除することで、複数の前記分割空間のすべてをその側面から外部に対して開放可能となっている、
請求項１記載の箱型土嚢。
【請求項３】
前記分割空間の少なくとも１つは、平面視で三角形か四角形のいずれかとなっている、
請求項２記載の箱型土嚢。
【請求項４】
前記分割空間は、平面視ですべてが四角形である、
請求項３記載の箱型土嚢。
【請求項５】
前記隔壁は４つ以上であり、前記分割空間の少なくとも１つは、前記隔壁で囲まれた矩形の空間である、
請求項３記載の箱型土嚢。
【請求項６】
前記解除自在関節部の少なくとも１つは、
前記側壁と前記隔壁を壁材と定義したときにおける、前記解除自在関節部で接続される前記壁材のそれぞれの前記垂直辺の近傍に設けられた水平な輪と、
それら輪をまとめて貫くものであり、上方向に引抜き可能な貫通ロッドと、
を備えており、
前記貫通ロッドを、複数の前記輪をまとめて貫通させることで複数の前記壁材を前記ロッドに接続できるようになっているとともに、前記ロッドを前記輪から上方向に引抜くことにより前記壁材の前記ロッドに対する接続を解除できるようになっている、
請求項２記載の箱型土嚢。
【請求項７】
前記解除自在関節部の少なくとも１つは、
前記側壁と前記隔壁を壁材と定義したときにおける、前記解除自在関節部で接続される前記壁材のそれぞれの前記垂直辺の近傍に設けられた、前記壁材の他の部分よりも肉厚な肉厚部と、
前記肉厚部を挿入することが可能であり、その開口の幅が前記肉厚部よりも狭く、その奥に向かって幅広となっている垂直方向に走る、少なくともその下端が開放された複数の溝を備えた垂直方向に配される接続棒と、
を備えており、
前記肉厚部を前記溝に挿入することで、前記壁材を前記接続棒に接続できるようになっているとともに、前記肉厚部を前記溝から引抜くようにして前記接続棒を上向きに引抜くことにより前記壁材の前記接続棒に対する接続を解除できるようになっている、
請求項２記載の箱型土嚢。
【請求項８】
前記解除自在関節部の少なくとも１つは、
前記側壁と前記隔壁を壁材と定義したときにおける、前記解除自在関節部で接続される前記壁材のそれぞれの前記垂直辺の近傍に設けられた、線状体を係止可能な係止片と、
複数の前記係止片にその長さ方向の適当な部位を係止することのできる線状体と、
を備えており、
前記線状体を複数の前記係止片に係止させることで、前記壁材を前記解除自在関節部に接続できるようになっているとともに、前記線状体の前記係止片への係止を解くことにより前記壁材の前記解除自在関節部に対する接続を解除できるようになっている、
請求項２記載の箱型土嚢。
【発明の詳細な説明】
【技術分野】
【０００１】
本発明は、箱型土嚢に関する。
【背景技術】
【０００２】
簡易的な構造物を構築するのに箱型土嚢が用いられることがある。例えば、戦地において即時に仮設の建築物や、防御壁を作らなければならない場合などに、箱型土嚢が用いられている。
【０００３】
箱型土嚢は通常、３枚以上の側壁を備えている。そしてその側壁で囲まれた空間に内容物を充填して、簡易的な壁として機能させられるようになっている。内容物は一般に、現地調達可能なものであり、例えば、土砂、砕石、岩、礫、コンクリート、或いはこれらの混合物、又はこれらを袋に詰めたものである。それにより、箱型土嚢は、小銃弾・ロケット弾等の直射火力又は砲弾等の曲射火力に対して防護することができ、仮設ではあるが十分な防護壁として機能するものとなる。
【０００４】
箱型土嚢の側壁は、金網とされているのが一般的である。金網は、例えばその壁面を金属板により構成するよりは軽く、またある程度の強度も期待できる。また、金網でできた側壁は、隣接する側壁同士をその一方が他方に対して回転できるようにヒンジ接続するのも容易であるので、箱型土嚢を、折りたたみ可能なハンドリングの良いものとするにも向いている。
【０００５】
箱型土嚢を更に軽量化し、そのハンドリングを更によくさせるため、箱型土嚢の側壁を布等の膜材にするという技術も知られている。
側壁を膜材とすることで側壁を軽量化できるので、箱型土嚢全体が軽量となる。また、金網である側壁は、側壁同士がヒンジ状に接続された部分でのみ折り畳み可能であり、側壁の途中で折り曲げることができないが、膜材である側壁は側壁同士の接続部分のみならず側壁のどこででも折り曲げ可能であるから、この箱型土嚢はハンドリング性も高い。
【発明の概要】
【発明が解決しようとする課題】
【０００６】
ところで、様々な利点を有する膜材製の箱型土嚢ではあるが、解決すべき点がないわけではない。
箱型土嚢は上述したように、側壁で囲まれた空間に内容物を入れて使われる。それにより仮設の防御壁なり建築物なりを構築することは可能であるが、仮設の防御壁等を撤去したい場合もある。そして、箱型土嚢を撤去する場合には、箱型土嚢の内部の上述の空間に入れられた内容物を取出すことが必要になる。
しかしながら、膜材製の箱型土嚢の場合には、側壁は隣接する側壁と一連となっているか、縫合により完全に固定されているのが通常であるため、内容物を上述の空間から取出すには、その空間の上方から内容物を引き上げるしかない。その労力、コストは過大である。
【０００７】
本願発明は、その撤去の際における、側壁で囲まれた空間からの内容物の除去を容易に行えるようにした側壁が膜材でできた箱型土嚢を提供すること、をその課題とする。
【課題を解決するための手段】
【０００８】
上述の課題を解決するため、本願発明者は以下の発明を提案する。
本願発明は、そのそれぞれが、垂直な垂直辺をその両幅方向に持ち、水平な水平辺をその両上下方向に持つ、同じ高さの矩形である、膜材でできた、少なくとも３つの側壁を備えているとともに、前記側壁を全体として環状に配列することによって形成された、前記側壁で囲まれたその上下が開口された空間に内容物を入れて用いられるようになっている、箱型土嚢である。
つまり、本願発明は、膜材でできた、軽く、ハンドリング性の高い箱型土嚢である。
そして、この箱型土嚢における隣接する前記側壁の隣接する２つの垂直辺は、それと隣接する前記垂直辺とともに、隣接する前記側壁同士を互いに接続する関節部を構成しており、前記関節部の少なくとも１つは、当該関節部で接続された２つの前記側壁の接続を解除自在とされた、解除自在関節部とされており、前記解除自在関節部において２つの前記側壁の接続を解除することで、前記空間をその側面から外部に対して開放可能となっている。
本願発明による箱型土嚢では、隣接する側壁の互いに隣接する２つの垂直辺が、互いに回転可能な関節部を構成している。関節部は、例えば、２つの垂直辺同士を縫合すること等により構成することができる。そして、この箱型土嚢の関節部の少なくとも１つは、側壁同士の接続を解除自在とされた解除自在関節部とされている。したがって、本願の箱型土嚢は、当該解除自在関節部で２つの側壁の接続を解除することで、側壁で囲まれた空間の側面を外部に対して開放することができるようになる。関節部のすべてが解除自在関節部であっても良いが、そうでなくても良い。
これにより、この箱型土嚢は、その撤収を行うときに、側壁に囲まれた空間に入れられた内容物を、その側面から取出すことができる。これは、内容物を、側壁に囲まれた空間の上側から取出すよりもずっと容易であり、コスト的にも有利である。
なお、側壁は上述のようにその形状は本来矩形であるが、それが膜材でできているため、側壁で囲まれたその上下が開口された空間に内容物を入れられたときに各側壁は、外側に向かって膨らむことがある。その場合には、側壁は、少なくとも数学で用いられるような正確な意味では「矩形」ではなくなるが、そのような場合においても、本願発明においては、側壁が矩形でいう条件が充足されるものとする。
【０００９】
側壁は上述のように３枚以上である。側壁が少なくとも３枚なければ側壁で囲まれた空間を作れないからである。側壁は例えば４枚以上とすることができる。その場合には、側壁で囲まれた空間の平面視した場合における形状を矩形にすることができるし、また各側壁の幅にもよるが三角形にすることも可能である。また、側壁が４枚以上である場合には、側壁で囲まれた空間を平面視した場合の多角形の辺の数は、最大で側壁の数と一致するが、側壁で囲まれた空間の平面視した場合における形状を、側壁の数や各側壁の幅にもよるが、四角形や三角形とすることも可能である。
前記側壁が４枚以上である場合、本願の箱型土嚢は以下のようなものとすることができる。即ち、前記空間には、そのそれぞれが、垂直な垂直辺をその両幅方向に持ち、水平な水平辺をその両上下方向に持つ、前記側壁と同じ高さの矩形である、膜材でできた、当該空間を区画して複数の分割空間とする、少なくとも１枚の隔壁が設けられており、前記隔壁の２つの前記垂直辺は、前記側壁の垂直辺か、又は他の前記隔壁の垂直辺と共に、隣接する前記隔壁と前記側壁を互いに接続するか、隣接する前記隔壁同士を互いに接続する、関節部を構成しており、前記関節部のうちの少なくとも１つは、当該関節部で接続された、少なくとも１つの前記側壁と、少なくとも１つの前記隔壁との接続を解除自在とされた、解除自在関節部とされており、前記解除自在関節部において少なくとも１つの前記側壁と、少なくとも１つの前記隔壁との接続を解除することで、複数の前記分割空間のすべてをその側面から外部に対して開放可能となっていてもよい。
側壁で囲まれた空間の内部に隔壁を設けることができる。隔壁を設けることにより、箱型土嚢の自立性を高くすることができ、それにより、箱型土嚢に内容物を入れる作業を行い易くすることができる。また、上述の隔壁は、箱型土嚢の強度を、ひいては構築された防御壁の強度を高めるようにも機能する。他方、隔壁は側壁と同様膜材でできているので、箱型土嚢の軽さや、ハンドリング性の良さを損なうこともない。
隔壁は、その幅方向の両端にある垂直辺を、側壁の垂直辺か、或いは他の隔壁の垂直辺と接続されることによって、その幅方向の両端を、側壁又は他の隔壁と接続された状態となっている。隔壁の垂直辺と側壁の垂直辺、又は隔壁の垂直辺と他の隔壁の垂直辺は、２つの側壁の垂直辺が作る上述の関節部と同様の、関節部を構成する。そして、その関節部の一部は、上述の解除自在関節部と同様の、解除自在関節部となる。既に述べた解除自在関節部は、そこで接続されている２つの側壁の接続を解除することが可能なものであるが、この場合の解除自在関節部はそこで接続されている隔壁と側壁との間の接続、或いはそこで接続されている隔壁と他の隔壁との間の接続を解除することが可能なものである。
隔壁を備える箱型土嚢の側壁で囲まれた空間は、隔壁で、複数の分割空間に仕切られている。解除自在関節部は、複数の分割空間のすべてをその側面から外部に対して開放可能とするために設けられている。関節部のすべてが解除自在関節部であっても構わないが、複数の分割空間のすべてをその側面から外部に対して開放可能とするために必要な部分にある関節部のみを解除自在関節部とすれば十分である。それにより、すべての分割空間に入れた内容物を、その側面から取出すことができるようになる。
なお、隔壁が接続される解除自在関節部には、隔壁と側壁が接続される場合や、隔壁と他の隔壁が接続される場合があるが、そこに接続される隔壁や側壁は２つのみとは限らず、例えば、３つの隔壁、４つの隔壁、１つの隔壁に２つの側壁が、１つの解除自在関節部に接続されていても構わない。これは、通常の関節部についても同様である。
【００１０】
前記分割空間の少なくとも１つは、平面視で三角形か四角形のいずれかとなっていても良い。また、箱型土嚢の中にある分割空間の平面視での形状は、すべてが同じであってもそうでなくても良く、例えば、その平面視での形状がすべて三角形であっても、すべて四角形であっても、また三角形と四角形の双方が存在していても良い。なお、ここでいう「三角形」、「四角形」も、数学で用いられる程厳密な意味では用いられていない。上述のように、側壁で囲まれたその上下が開口された空間に内容物を入れられたときに各側壁は、外側に向かって膨らむことがある。その場合には、分割空間を平面視した場合における「三角形」や「四角形」の形状は、そのうちの少なくとも一辺が外側に向かって膨らむことがある。そのような場合であっても、分割空間が平面視で三角形か四角形のいずれかとなっている、という条件は充足されるものとする。以下も同様である。
前記分割空間は、平面視ですべてが四角形であっても良い。そうすることで、側壁で囲まれた空間の平面視した場合における形状を四角形にし易くなる。そのような箱型土嚢で構築した防御壁等は平面視した場合に四角形であり、他の箱型土嚢と組合せるのに便利である。
前記隔壁は４つ以上であり、前記分割空間の少なくとも１つは、前記隔壁で囲まれた矩形の空間であってもよい。
【００１１】
解除自在関節部の構成は、どのようになっていても構わない。また、解除自在関節部が１つの箱型土嚢に複数含まれている場合、すべての解除自在関節部の構成が同一であっても良いし、そうでなくても良い。
前記解除自在関節部の少なくとも１つは、前記側壁と前記隔壁を壁材と定義したときにおける、前記解除自在関節部で接続される前記壁材のそれぞれの前記垂直辺の近傍に設けられた水平な輪と、それら輪をまとめて貫くものであり、上方向に引抜き可能な貫通ロッドと、を備えており、前記貫通ロッドを、複数の前記輪をまとめて貫通させることで複数の前記壁材を前記ロッドに接続できるようになっているとともに、前記ロッドを前記輪から上方向に引抜くことにより前記壁材の前記ロッドに対する接続を解除できるようになっていても良い。貫通ロッドの引抜きを行うことで、壁材の固定をまとめて解除できるようになるため便利である。
前記解除自在関節部の少なくとも１つは、前記側壁と前記隔壁を壁材と定義したときにおける、前記解除自在関節部で接続される前記壁材のそれぞれの前記垂直辺の近傍に設けられた、前記壁材の他の部分よりも肉厚な肉厚部と、前記肉厚部を挿入することが可能であり、その開口の幅が前記肉厚部よりも狭く、その奥に向かって幅広となっている垂直方向に走る、少なくともその下端が開放された複数の溝を備えた垂直方向に配される接続棒と、を備えており、前記肉厚部を前記溝に挿入することで、前記壁材を前記接続棒に接続できるようになっているとともに、前記肉厚部を前記溝から引抜くようにして前記接続棒を上向きに引抜くことにより前記壁材の前記接続棒に対する接続を解除できるようになっていても良い。接続棒の引抜きを行うことで、壁材の固定をまとめて解除できるようになるため便利である。
前記解除自在関節部の少なくとも１つは、前記側壁と前記隔壁を壁材と定義したときにおける、前記解除自在関節部で接続される前記壁材のそれぞれの前記垂直辺の近傍に設けられた、線状体を係止可能な係止片と、複数の前記係止片にその長さ方向の適当な部位を係止することのできる線状体と、を備えており、前記線状体を複数の前記係止片に係止させることで、前記壁材を前記解除自在関節部に接続できるようになっているとともに、前記線状体の前記係止片への係止を解くことにより前記壁材の前記解除自在関節部に対する接続を解除できるようになっていても良い。例えば、編上げられた線状体を解くことにより、壁材の固定を解除する手法である。
【図面の簡単な説明】
【００１２】
【図１】本願発明の第１実施形態における箱型土嚢の概略的な構成を示す斜視図。
【図２】図１に示した箱型土嚢の平面図。
【図３】図１に示した箱型土嚢が備える解除自在関節部の一例の構成を示す斜視図。
【図４】図３に示した箱型土嚢が備える解除自在関節部の変形例の構成を示す斜視図。
【図５】図１に示した箱型土嚢が備える解除自在関節部の他の一例の構成を示すための、（ａ）接続棒の斜視図、（ｂ）接続棒と壁材の平面図。
【図６】図１に示した箱型土嚢が備える解除自在関節部の更に他の一例の構成を示す斜視図。
【図７】図６に示した箱型土嚢が備える解除自在関節部の変形例の構成を示す斜視図。
【図８】図１に示した箱型土嚢を撤去する方法を説明するための図。
【図９】図１に示した箱型土嚢を撤去する方法を説明するための図。
【図１０】図１に示した箱型土嚢の変形例の平面図。
【図１１】本願発明の第２実施形態における箱型土嚢の概略的な構成を示す平面図。
【図１２】本願発明の第３実施形態における箱型土嚢の概略的な構成を示す平面図。
【図１３】本願発明の第４実施形態における箱型土嚢の概略的な構成を示す平面図。
【発明を実施するための形態】
【００１３】
以下、図面を参照しつつ、本発明の好ましい第１〜第４実施形態について説明する。なお、各実施形態において、共通する対象には共通する符号を付すものとし、共通する説明は場合により省略するものとする。
【００１４】
本願発明の一実施形態の箱型土嚢１０１を図１に示す。図１に示された箱型土嚢１０１は組立られた状態である。箱型土嚢１０１は、その殆ど或いはすべてを膜材で構成されているので、不使用時には畳むことができる。
【００１５】
箱型土嚢１０１は、多数の側壁１１０を備えている。側壁１１０は、膜材でできている。膜材としては、例えば、ポリエステル等の合成繊維製の不織布によるシートや、合成繊維製の織物によるシート、または、これらに合成樹脂を被覆したシート等を用いることができる。なお、この点は以下に登場する膜材についても同様である。
側壁１１０はいずれも矩形である。側壁１１０は、その幅方向の両側に垂直な辺である垂直辺１１１を、またその上下方向の両側に水平な辺である水平辺１１２を備えている。すべての側壁１１０の高さは等しくされている。他方、すべての側壁１１０の幅は等しくされている必要はない。もっとも、この実施形態では、すべての側壁１１０の幅は等しくされている。より詳細に言うと、この実施形態では、すべての側壁１１０は、同じ大きさの正方形とされている。
【００１６】
側壁１１０の枚数は３つ以上とする。この実施形態では、側壁１１０数は、１４である。図１に示したように、図１中で手前側と奥側には、５つずつ、図１中で右側と左側には、２つずつの側壁１１０が存在している。
各側壁１１０は、隣接する側壁１１０とその垂直辺１１１を接続されている。それにより側壁１１０は、環状に接続されている。より詳しくは、側壁１１０は、図１に示したように、平面視で四角形になるように、配列されている。側壁１１０に囲まれた平面視で四角形の上下が開放された空間１３０に、後述したように内容物が入れられる。それにより、この箱型土嚢１０１は、仮設の防御壁や建築物を構築できるものとなる。内容物は一般に、現地調達可能なものであり、例えば、土、砂、砕石、琉球石灰、瓦礫、コンクリート、或いはこれらの混合物、又はこれらを袋に詰めたものである。
【００１７】
側壁１１０同士が接続されている部分が本願でいう関節部１１３である。各側壁１１０は、関節部１１３を軸として、隣接する側壁１１０に対して、回転可能となっている場合もある。関節部１１３の構成は、隣接する側壁１１０同士が関節部１１３を介して接続できるようになっていれば良い。これには限られないが、この実施形態における関節部１１３は、後述する解除自在関節部を除いて、隣接する側壁１１０の垂直辺１１１同士を縫合して構成されている。これには限られないが、この実施形態における、縫合の範囲は、側壁１１０の上端から下端にまで及ぶ。
【００１８】
必ず必要なわけではないが、この実施形態の側壁１１０で囲まれた空間の中には、隔壁１２０が縦横に設けられている（図１、図２）。
隔壁１２０は、側壁１１０と同様に構成されている。隔壁１２０はいずれも矩形である。隔壁１２０は、その幅方向の両側に垂直な辺である垂直辺１２１を、またその上下方向の両側に水平な辺である水平辺１２２を備えている。すべての隔壁１２０の高さは等しくされており、側壁１１０とその高さが等しくされている。他方、すべての隔壁１２０の幅は等しくされている必要はない。もっとも、この実施形態では、すべての隔壁１２０の幅は等しくされている。より詳細に言うと、この実施形態では、すべての隔壁１２０は、同じ大きさの正方形とされている。
隔壁１２０は、側壁１１０で囲まれた空間１３０を複数の分割空間１３１に区画している。これには限られないが、この実施形態の隔壁１２０は、図１の左右方向に５つ配されており、図１の前後方向に２つずつ４列に配されている。結果として、隔壁１２０は、側壁１１０で囲まれた空間１３０を、５×２＝１０の分割空間１３１に分割している。これには限られないが、この実施形態における分割空間１３１はすべて平面視で四角形であり、より詳細には平面視で正方形である。
【００１９】
隔壁１２０の両端の垂直辺は、側壁１１０の垂直辺１１１か、或いは他の隔壁１２０の垂直辺１２１に接続されている。
隔壁１２０の垂直辺１２１のうち、側壁１１０の垂直辺１１１と接続されるものは、この実施形態では、事実上、２つの側壁１１０の関節部１１３に接続されている。この実施形態における隔壁１２０は、かかる関節部１１３に接続された２つの側壁１１０と同様に、関節部１１３を軸として回転することができるようになっている場合もある。隔壁１２０の垂直辺１２１の側壁１１０の垂直辺１１１への接続の方法は、その関節部１１３が、後述する解除自在関節部でない限り、これには限られないが、縫合とすることができる。
隔壁１２０の垂直辺１２１のうち、他の隔壁１２０の垂直辺１２１と接続される部分では、上述したのと同様の関節部１２３が構成されている。この実施形態では、隔壁１２０の垂直辺１２１のうち、他の隔壁１２０の垂直辺１２１と接続される関節部１２３には、４つの隔壁１２０の垂直辺１２１が突き合わされるようになっている。かかる関節部１２３における４つの隔壁１２０の垂直辺１２１の接続方法は、その関節部１２３が、後述する解除自在関節部でない限り、これには限られないが、縫合とすることができる。
【００２０】
上述した関節部１１３と関節部１２３のうちの幾つかは、解除自在関節部となっている。解除自在関節部は、その関節部１１３又は関節部１２３に接続されている側壁１１０及び隔壁１２０とその関節部１１３又は関節部１２３との接続を解除自在としたものである。
図２の例で言えば、黒い丸の記号が付された部分が解除自在関節部となっている。白い丸の記号が付された部分は解除自在関節部とすると便利ではあるが、必ずしも解除自在関節部とする必要はない関節部１１３又は関節部１２３である。
すべての関節部１１３及び関節部１２３を解除自在関節部とすることも可能ではありそうしても良いが、この実施形態ではそうはしていない。関節部１１３及び関節部１２３のうちのどれを解除自在関節部とするかということは、解除自在関節部に接続された側壁１１０及び隔壁１２０とその関節部１１３又は関節部１２３との接続を解除することによって、分割空間１３１のすべてについて、その側面から外部に開放できるようにするという条件が満たされるようにする、というルールに基いて決定される。なお、このルールについては追って詳述する。
【００２１】
解除自在関節部は、例えば以下のように構成されている。なお、以下に大きく分けて３種類の解除自在関節部の例を挙げるが、３種類の解除自在関節部を、いずれの解除自在関節部に採用するかは自由であり、複数種類の解除自在関節部を１つの箱型土嚢１０１に採用することも可能である。
【００２２】
解除自在関節部は、図３に示したように構成されていても良い。なお、図３では、側壁１１０と隔壁１２０を区別せずに、壁材１９０として表すこととする。
図３に示した解除自在関節部の例では、解除自在関節部に２つの壁材１９０が接続されている。
図３で左側に位置する壁材１９０Ｌには、所定の間隔で、必ずしもこの限りではないが、膜材で構成された輪部材１９１Ｌが所定の間隔で複数取付けられている。輪部材１９１Ｌは、所定幅にカットされたテープ状の膜材を輪状にしたものであり、例えば縫合によって、壁材１９０Ｌに取付けられている。輪部材１９１Ｌはこの限りではないが、この実施形態では、図３で左側に位置する壁材１９０Ｌの垂直辺の全長にわたって設けられている。
他方、図３で右側に位置する壁材１９０Ｒには、所定の間隔で、輪部材１９１Ｒが設けられている。輪部材１９１Ｒの構成及び壁材１９０Ｒへの取付け方は輪部材１９１Ｌと同様である。輪部材１９１Ｒは、輪部材１９１Ｌと交互になるようにして、壁材１９０Ｒの垂直辺の全長にわたって設けられている。輪部材１９１Ｒは、輪部材１９１Ｌと平面視で重なるように位置させることができるようになっている。
図３に示した解除自在関節部は、また、複数の輪部材１９１Ｌと、複数の輪部材１９１Ｒとをまとめて貫くことのできる、矢視したようにして上下に移動可能なロッド１９２を備えている。金属製の棒状体であるロッド１９２により、輪部材１９１Ｌと輪部材１９１Ｒとをまとめて貫くことにより、壁材１９０Ｌと壁材１９０Ｒは、互いに回転可能に接続されることになる。またロッド１９２は、上方に引抜くことができるようになっている。それにより、壁材１９０Ｌと壁材１９０Ｒの接続は解除できるようになっている。
図３で示した解除自在関節部の変形例を図４に示す。
図４に示した解除自在関節部は、図３で示した解除自在関節部と殆どその構成を同じくする。
図４に示した解除自在関節部は、壁材１９０Ｌに他の壁材１９０Ｌ１が接続されており、壁材１９０Ｒに他の壁材１９０Ｒ１が接続されている、という点でのみ図３に示した解除自在関節部と異なっている。この解除自在関節部は、ロッド１９２を上方に引抜くことにより、４つの壁材１９０Ｌ、１９０Ｌ１、１９０Ｒ、１９０Ｒ１を、一体とされた壁材１９０Ｌ及び壁材１９０Ｌ１と、一体とされた壁材１９０Ｒ及び壁材１９０Ｒ１とに、分割することが可能となる。このように解除自在関節部に接続された壁材は、１つずつ分割するようになっている必要はない。
もっとも、図４に示したように、例えば４つの壁材１９０Ｌ、１９０Ｌ１、１９０Ｒ、１９０Ｒ１が存在する場合においては、それぞれの壁材１９０Ｌ、１９０Ｌ１、１９０Ｒ、１９０Ｒ１の垂直辺に、平面視で重なるようにして輪部材を設けることにより、４つの壁材１９０Ｌ、１９０Ｌ１、１９０Ｒ、１９０Ｒ１のそれぞれを、１つずつ分割するようにすることも可能である。
【００２３】
解除自在関節部は、図５に示したように構成されていても良い。なお、図５でも、側壁１１０と隔壁１２０を区別せずに、壁材１９０として表すこととする。
図５に示した解除自在関節部は、接続棒１９４を備えている。接続棒１９４は棒状体であり、壁材１９０の高さに応じた長さを持っている。接続棒１９４は、また、その長さ方向の全長にわたる溝１９４Ａを備えている。溝１９４Ａは、必ずしも接続棒１９４の長さの全長にわたって存在する必要はないが、少なくとも接続棒１９４の下端には至っている必要がある。溝１９４Ａは、中に向かってその幅が広がるような形状とされている。
かかる接続棒１９４に壁材１９０が解除自在に接続される。かかる接続棒１９４と組合せて用いられる壁材１９０は、図５（ｂ）に示したようにその垂直辺付近に、壁材１９０の他の部分よりもその厚さの大きな肉厚部１９５が設けられている。肉厚部１９５は、垂直辺付近の壁材１９０を折り返し、その折り返して作られた輪状の部分の内部に、例えば、金属製の棒状体や、或いはロープである挿入部材１９６を挿入して形成することができる。肉厚部１９５は、接続棒１９４の下端側から接続棒１９４が有する溝１９４Ａに挿入することができ、且つ溝１９４Ａの長さ方向に沿う開口からは抜けられない形状とされている。
かかる接続棒１９４の溝１９４Ａに、肉厚部１９５を挿入することで、壁材１９０は、その垂直辺を接続棒１９４に対して解除可能に接続することができる。また、接続棒１９４を上方向に引抜くことにより、壁材１９０の接続棒１９４に対する接続は、解除される。
この手法によれば、基本的に、各壁材１９０は、１つずつ接続棒１９４に対して接続でき、また、１つずつ接続棒１９４との接続を解除することができる。ただし、図５（ｂ）の上側に図示したように、壁材１９０に壁材１９０Ａを接続したような構成を採用するのであれば、２つの壁材１９０を一体としたまま接続棒１９４に接続し、２つの壁材１９０を一体としたまま接続棒１９４との接続を解除できるようにすることも可能である。
【００２４】
解除自在関節部は、図６に示したように構成されていても良い。なお、図６でも、側壁１１０と隔壁１２０を区別せずに、壁材１９０として表すこととする。
図６に示した解除自在関節部の例では、解除自在関節部に２つの壁材１９０が接続されている。
図６で左側に位置する壁材１９０Ｌには、所定の間隔で、必ずしもこの限りではないが、例えば金属製であり、フック状に湾曲した係止部材１９７Ｌが所定の間隔で複数取付けられている。係止部材１９７Ｌはこの限りではないが、この実施形態では、図６で左側に位置する壁材１９０Ｌの垂直辺の全長にわたって設けられている。
他方、図６で右側に位置する壁材１９０Ｒには、所定の間隔で、係止部材１９７Ｒが設けられている。係止部材１９７Ｒの構成は係止部材１９７Ｌと同様である。係止部材１９７Ｒは、係止部材１９７Ｌと例えば交互になるようにして、壁材１９０Ｒの垂直辺の全長にわたって設けられている。
図６に示した解除自在関節部は、また、抑え膜材１９８を備えている。抑え膜材１９８は、膜材であり、その上下方向の長さは、壁材１９０の上下方向の長さに一致するようにされている。抑え膜材１９８は、また、係止部材１９７Ｌを貫通させるための垂直方向に並んだ複数の孔１９８ＡＬと、係止部材１９７Ｒを貫通させるための垂直方向に並んだ複数の孔１９８ＡＲとを備えている。
この解除自在関節部では、複数の係止部材１９７Ｌに孔１９８ＡＬを貫通させるとともに、複数の係止部材１９７Ｒに孔１９８ＡＲを貫通させるようにして、壁材１９０Ｌと、壁材１９０Ｒの突き合わされた部分に抑え膜材１９８を配し、その状態で、係止部材１９７Ｌと、係止部材１９７Ｒとに、例えばワイヤである線状体１９９を編むようにして掛け回すことによって、壁材１９０Ｌと、壁材１９０Ｒとを解除自在に接続することができる。線状体１９９の両端部は、結ぶなりして適当に始末すれば良い。
線状体１９９を解けば、壁材１９０Ｌと、壁材１９０Ｒの接続は解除できる。
図６で示した解除自在関節部の変形例を図７に示す。
図７に示した解除自在関節部は、図６で示した解除自在関節部と殆どその構成を同じくする。
図７に示した解除自在関節部は、壁材１９０Ｌに他の壁材１９０Ｌ１が接続されており、壁材１９０Ｒに他の壁材１９０Ｒ１が接続されている、という点でのみ図６に示した解除自在関節部と異なっている。この解除自在関節部によれば、４つの壁材１９０Ｌ、１９０Ｌ１、１９０Ｒ、１９０Ｒ１の接続とその解除は、壁材１９０Ｌ及び壁材１９０Ｌ１を一体とし、また、壁材１９０Ｒ及び壁材１９０Ｒ１を一体とした状態で行われる。
【００２５】
次いで、この箱型土嚢１０１の使用方法について説明する。
箱型土嚢１０１を使用するには、まず、箱型土嚢１０１を、防御壁や建築物を構築するのに適当な場所に設置する。そして、箱型土嚢１０１の側壁１１０で囲まれた空間１３０に、より詳細には、この実施形態ではその空間１３０が分割されたものである分割空間１３１のそれぞれに、内容物Ｘを充填する（図８（ａ））。内容物Ｘは、基本的には、すべての分割空間１３１一杯に充填する。
なお、箱型土嚢１０１の高さはこれには限られないが一般的に、６０ｃｍから１ｍ程度である。必要であれば、内容物Ｘを分割空間１３１に充填する作業には適当な重機を用いればよい。
なお、内容物Ｘを空間１３０乃至それを分割した分割空間１３１に入れると、側壁１１０が外部に膨らむ場合がある。その意味では、図８はその正確性を若干欠く、模式的なものであると言える。以下に説明する図９も同様である。
【００２６】
この状態で、箱型土嚢１０１は、防御壁や、建築物として機能する。箱型土嚢１０１単体では、防御壁や、建築物として機能するには不足なのであれば、他の箱型土嚢を組合せるなどすれば良い。
そして箱型土嚢１０１が不要になったら撤収を行う。
【００２７】
箱型土嚢１０１を撤収する場合には、解除自在関節部において、解除自在関節部に接続されている側壁１１０又は隔壁１２０の解除自在関節部に対する接続を解除する。図８に示した箱型土嚢１０１の場合であれば、図８（ｂ）の左右両端における黒い丸が付されている部分に存在する解除自在関節部において、当該解除自在関節部に対する側壁１１０の接続を解除する。そして、解除自在関節部に対する接続が解除された側壁１１０を、解除自在関節部と接続されていた側とは反対側の関節部を軸として回転させ、箱型土嚢１０１の左右両端の上下に位置する計４つの分割空間１３１の側面（図８（ｂ）における左右方向の外側の側面）を外部に開放する。各分割空間１３１には内容物Ｘが充填されているが、その側面が開放された分割空間１３１に入っていた内容物Ｘは、分割空間１３１の開放された側面から容易に外部へ除去することができる。図８（ｂ）は、箱型土嚢１０１の左端と右端の計４つの分割空間１３１から、内容物Ｘを除去した状態を示している。
【００２８】
次いで、今度は、図８（ｃ）の箱型土嚢１０１における左から２つ目の黒い丸が付された解除自在関節部と、右から２つ目の黒い丸が付された解除自在関節部とにおいて、解除自在関節部に対する隔壁１２０の接続を解除する。そして、解除自在関節部に対する接続を解除された隔壁１２０を解除自在関節部と接続されていた側とは反対側の関節部を軸として回転させ、箱型土嚢１０１の左から２つ目の上下２つの分割空間１３１と、右から２つ目の上下２つの分割空間１３１の左右方向の両外側面を外部に向けて開放する。そして、その開放された部分から、上記４つの分割空間１３１に入っていた内容物Ｘを外部へ除去する。図８（ｃ）は、箱型土嚢１０１の左から２つ目の上下２つの分割空間１３１と、右から２つ目の上下２つの分割空間１３１から、内容物Ｘを除去した状態を示している。
【００２９】
次に、今度は、図８（ｃ）の箱型土嚢１０１における左から３つ目の黒い丸が付された解除自在関節部と、右から３つ目の黒い丸が付された解除自在関節部とにおいて、解除自在関節部に対する隔壁１２０の接続を解除する。そして、解除自在関節部に対する接続を解除された隔壁１２０を解除自在関節部と接続されていた側とは単体側の関節部を軸として回転させ、箱型土嚢１０１の左右方向で中央の上下２つの分割空間１３１の左右両側面を外部に向けて開放する。そして、その開放された部分から、それら２つの分割空間１３１に入っていた内容物Ｘを外部へ除去する。図８（ｄ）は、箱型土嚢１０１の左右方向で中央の上下２つの分割空間１３１から、内容物Ｘを除去した状態を示している。
このようにして、箱型土嚢１０１の空間１３０に充填されていた内容物Ｘがすべて、空間１３０から除去される。
以上の説明から明らかなように、すべての分割空間１３１は、そのいずれかの側面が、箱型土嚢１０１の撤去のいずれかの段階で、外部に向けて開放されるようになっている。それが可能なように、解除自在関節部は箱型土嚢１０１に設けられている。言い換えれば、この実施形態の箱型土嚢１０１では、それが可能なように選択して、関節部のうちの必要なものを解除自在関節部としている。
【００３０】
内容物Ｘが空間１３０から除去された箱型土嚢１０１は、基本的に膜材でできているので、後は折り畳む、巻き取る等の周知の方法で撤去すれば良い。
【００３１】
ある箱型土嚢１０１が存在したとして、すべての分割空間１３１が、そのいずれかの側面が外部に向けて開放されるようにする、という条件が充足されるために必要とされる解除自在関節部の数や位置は、必ずしも一通りではない。
例えば、以上で説明したのと同じ、図８に示した箱型土嚢１０１において、黒い丸が付された関節部のみならず、白い丸が付された関節部をも、解除自在関節部とすることが可能である。
その場合には、例えば、図９（ａ）に示したすべての分割空間１３１に内容物Ｘが満たされた状態から、例えば図９（ｂ）に示したようにして解除自在関節部に接続された側壁１１０及び隔壁１２０の解除自在関節部に対する接続を解除し、その後各分割空間１３１の開放された側面から内容物Ｘを除去することができる。図９に示した箱型土嚢１０１の撤去方法を実行する場合であれば、図９（ｂ）に示した状態で既に、すべての分割空間１３１のいずれかの側面が外部に向けて開放されているので、図８で示した箱型土嚢１０１の撤去方法を実行する場合のように、解除自在関節部に対する側壁１１０又は隔壁１２０の接続の解除を、段階的に行っていく必要はない。
すべての分割空間１３１から内容物Ｘが除去されたら（図９（ｃ））、残った箱型土嚢１０１は、折り畳む、巻き込む等して撤去すれば良い。
【００３２】
なお、以上で説明したのと同様に、側壁１１０で囲まれた空間１３０が、５×２＝１０の分割空間１３１に分割された、箱型土嚢１０１は、例えば、図１０に示したような位置に解除自在関節部を備えていたとしても、すべての分割空間１３１が、そのいずれかの側面が外部に向けて開放されるようになっている。なお、図１０における黒い丸と白い丸の意味は、図２において示されたそれらの意味と同じである。
【００３３】
≪第２実施形態≫
第２実施形態による箱型土嚢１０２の平面図を図１１に示す。
第２実施形態による箱型土嚢１０２は、基本的に第１実施形態における箱型土嚢１０１と同じである。
第２実施形態における箱型土嚢１０２が第１実施形態における箱型土嚢１０１と異なるのは、側壁１１０と、隔壁１２０の数であり、また解除自在関節部の数と位置である。
第２実施形態における箱型土嚢１０２は、平面視で、第１実施形態における箱型土嚢１０１と同様に四角形であるが、図１１における左右方向に側壁１１０が５つ並べられ、図１１における上下方向に側壁１１０が３つ並べられた状態となっている。
また、箱型土嚢１０２の側壁１１０で囲まれた空間１３０は、隔壁１２０によって、５×３＝１５の分割空間１３１に分割されている。
また、この箱型土嚢１０２は、撤去の際に、すべての分割空間１３１のいずれかの側面が、箱型土嚢１０２の撤去のいずれかの段階で、外部に向けて開放されるようにするために、その関節部のうちの幾つかが解除自在関節部となっている。解除自在関節部は、図１１に示した位置になる。図１１における黒い丸と白い丸の意味は、図２において示されたそれらの意味と同じである。
【００３４】
≪第３実施形態≫
第３実施形態による箱型土嚢１０３の平面図を図１２に示す。
第３実施形態による箱型土嚢１０３は、基本的に第１実施形態における箱型土嚢１０１と同じである。
第３実施形態における箱型土嚢１０３が第１実施形態における箱型土嚢１０１と異なるのは、側壁１１０と、隔壁１２０の数であり、また解除自在関節部の数と位置である。
第３実施形態における箱型土嚢１０３は、平面視で、第１実施形態における箱型土嚢１０１と同様に四角形となっている。第１実施形態における箱型土嚢１０１では、すべての側壁１１０の幅は同じであったが、第３実施形態の箱型土嚢１０３においては、幅が異なる２種類の側壁１１０が存在している。平面視した場合に四角形となっている箱型土嚢１０３の４つの角と接する都合８つの側壁１１０は、図１２の上下の辺の中程に位置する上下それぞれ３つの側壁１１０の半分の幅となっている。
また、第３実施形態の隔壁１２０の幅は、上述の２種類の側壁１１０の幅の間の幅となっており、具体的には、平面視した場合に四角形となっている箱型土嚢１０３の４つの角のいずれかに接している短い幅の側壁１１０の幅の２の平方根倍となっている。
第３実施形態の隔壁１２０も箱型土嚢１０３の中の側壁１１０で囲まれた空間１３０を分割空間１３１に分割しているが、第１実施形態の場合と異なり隔壁１２０は、側壁１１０と平行ではなくまた直交もしていない。この実施形態における隔壁１２０は、図１２に示したようにして、側壁１１０に対して斜めであり、これには限られないが、この実施形態では、側壁１１０に対して平面視で４５°の角度をなすようになっている。
第３実施形態では、隔壁１２０で区画された分割空間１３１は、平面視で三角形と四角形となっている。平面視で四角形の分割空間１３１は、４つの隔壁１２０で囲まれている。
この箱型土嚢１０３も、撤去の際に、すべての分割空間１３１のいずれかの側面が、箱型土嚢１０３の撤去のいずれかの段階で、外部に向けて開放されるようにするために、その関節部のうちの幾つかが解除自在関節部となっている。解除自在関節部は、図１２に示した位置になる。図１２における黒い丸と白い丸の意味は、図２において示されたそれらの意味と同じである。
【００３５】
≪第４実施形態≫
第４実施形態による箱型土嚢１０４の平面図を図１３に示す。
第４実施形態による箱型土嚢１０４は、第３実施形態における箱型土嚢１０３の変形ともいうべきものである。
第４実施形態における箱型土嚢１０４が第３実施形態における箱型土嚢１０３と異なるのは、側壁１１０と、隔壁１２０の数であり、また解除自在関節部の数と位置である。
第４実施形態における箱型土嚢１０４は、第３実施形態における箱型土嚢１０３を、図１２における上下方向に、ぴったりくっつけた状態で２つ並べたような構成をしている。第４実施形態における箱型土嚢１０４の側壁１１０の幅は、第３実施形態の場合と同様に、２種類存在する。第４実施形態における側壁１１０の幅は２種類存在し、そのうちの一方は、第３実施形態の場合と同様に、幅の短い側壁１１０の幅の２の平方根倍であり、そのうちの他方は、幅の長い側壁１１０と同じである。
第４実施形態の隔壁１２０も箱型土嚢１０４の中の側壁１１０で囲まれた空間１３０を分割空間１３１に分割している。
第４実施形態では、隔壁１２０で区画された分割空間１３１は、平面視で三角形と四角形となっている。平面視で四角形の分割空間１３１は、４つの隔壁１２０で囲まれている。
この箱型土嚢１０４も、撤去の際に、すべての分割空間１３１のいずれかの側面が、箱型土嚢１０４の撤去のいずれかの段階で、外部に向けて開放されるようにするために、その関節部のうちの幾つかが解除自在関節部となっている。解除自在関節部は、図１３に示した位置になる。図１３における黒い丸と白い丸の意味は、図２において示されたそれらの意味と同じである。
【符号の説明】
【００３６】
１０１  箱型土嚢
１０２  箱型土嚢
１０３  箱型土嚢
１０４  箱型土嚢
１１０  側壁
１１１  垂直辺
１２０  隔壁
１２１  垂直辺
１３０  空間
１３１  分割空間
１９０  壁材
１９１  輪部材
１９２  ロッド
１９４  接続棒
１９４Ａ  溝
１９５  肉厚部
１９６  挿入部材
１９７  係止部材
１９８  抑え膜材
１９９  線状体
【図１】
2016118030.tif 000003
【図２】
2016118030.tif 000004
【図３】
2016118030.tif 000005
【図４】
2016118030.tif 000006
【図５】
2016118030.tif 000007
【図６】
2016118030.tif 000008
【図７】
2016118030.tif 000009
【図８】
2016118030.tif 000010
【図９】
2016118030.tif 000011
【図１０】
2016118030.tif 000012
【図１１】
2016118030.tif 000013
【図１２】
2016118030.tif 000014
【図１３】
2016118030.tif 000015